(57)【要約】      （修正有）【課題】絶縁性能に優れ、安全性が高く、均一な照度分布と、広い照明範囲と、構成の簡素化と、製造およびメンテナンスの容易化とを可能にするチューブインチューブＬＥＤライト管を提供する。【解決手段】チューブインチューブＬＥＤライト管は、プラスチック管状カバー１を備えている。プラスチック管状カバー１の両端部に、ライト管ソケットがそれぞれに設けられている。ライト管ソケットは電源に接続されている。プラスチック管状カバー１の外側に、ガラス管３が設けられている。ライト管ソケットに、ガラス管３の両端部が連接されている。プラスチック管状カバー１は、一体成型の製品である。プラスチック管状カバー１の内周壁に、ふたつのスロット６が長手方向に関して対称的に設けられている。ふたつのスロット６に、ＬＥＤ基板５の両側部がそれぞれ挿設されている。ＬＥＤ基板５の底面と、プラスチック管状カバー１の内周壁との間に隙間４が設けられている。【選択図】図２
0003193610.tif 000002
【実用新案登録請求の範囲】
【請求項１】
チューブインチューブＬＥＤライト管であって、
プラスチック管状カバーと、
前記プラスチック管状カバーの両端部にそれぞれに設けられ、電源に接続されるライト管ソケットと、
前記プラスチック管状カバー内に取り付けられるＬＥＤ基板と、
前記プラスチック管状カバーの外側に設けられるガラス管とを備え、
前記ガラス管の両端部がライト管ソケットに連接されているチューブインチューブＬＥＤライト管。
【請求項２】
前記プラスチック管状カバーは、一体成型の製品であり、
前記プラスチック管状カバーの内周壁に長手方向に関して対称的に設けられるふたつのスロットを備え、
前記ＬＥＤ基板の両側部がそれぞれに前記ふたつのスロットに挿設されていることを特徴とする請求項１に記載のチューブインチューブＬＥＤライト管。
【請求項３】
前記プラスチック管状カバーは、弧形のプラスチック部材と、弧形の金属部材とを備えて円筒形状で構成され、
プラスチック部材と金属部材とは係合して接続され、
ふたつのスロットが前記金属部材の内周壁に長手方向に関して対称的に設けられ、
前記ＬＥＤ基板の両側部がそれぞれに当該ふたつのスロットに挿設されていることを特徴とする請求項１に記載のチューブインチューブＬＥＤライト管。
【請求項４】
前記プラスチック管状カバーと前記ガラス管との間に設けられる隙間を備えることを特徴とする請求項１乃至請求項３のいずれか一に記載のチューブインチューブＬＥＤライト管。
【請求項５】
前記ＬＥＤ基板に間隔をあけて配置された複数のＬＥＤビーズを有することを特徴とする請求項１乃至請求項３のいずれか一に記載のチューブインチューブＬＥＤライト管。
【考案の詳細な説明】
【技術分野】
【０００１】
本考案は、照明器具に係り、特に、チューブインチューブ（Tube-in-Tube）ＬＥＤライト管に関する。
【背景技術】
【０００２】
照明施設は日常生活に不可欠なものである。従来の蛍光ランプ内に多様な重金属を含む蛍光体粉末が充填されている。製造過程や使用の時に、環境に汚染し、人体に巨大な傷害を引き起こす。また、従来の蛍光ランプは、電力消費量が大きく、使用の寿命が短く、もう人々の需要を満足することができなくなります。ＬＥＤライト管は、電力消費が少なく、寿命が長く、環境を保護するために、蛍光ランプの理想の代替品となる。
【０００３】
ＬＥＤライトは、点光源であり、使用過程において十分な発光効果を実現するように回路基板上に複数のＬＥＤライト管ビーズが所定の規則に応じて組み立てられて、発光帯を形成して照明する。然しながら、このように出射された光が均一でなく、視覚疲労を起こしやすい。中国実用新案出願２０１２２０４８６３１２.４に、不規則な円形断面のＬＥＤガラスチューブを採用し、回路基板を装着するための切り欠きがＬＥＤガラスチューブの内周壁に形成されているＬＥＤガラスライト管が開示され、そのＬＥＤガラスライト管から出射された光が均一でなく、目がくらむという現象を起こしやすい。中国実用新案出願２０１２２００９０２３７.Ｘに、ガラスライト管内に半円状のプラスチックカバーが設けられ、ＬＥＤ基板がプラスチックカバーとガラスライト管とに連設されているＬＥＤガラスライト管が開示され、プラスチックカバーとガラスライト管との密接には特別な処理が必要であり、且つプラスチックカバーにＬＥＤ基板を固定するには特別な処理が必要であり、その構成は安全ではなく、光照射範囲が狭い。
【先行技術文献】
【特許文献】
【０００４】
【特許文献１】中国実用新案出願２０１２２０４８６３１２.４
【特許文献１】中国実用新案出願２０１２２００９０２３７.Ｘ
【考案の概要】
【考案が解決しようとする課題】
【０００５】
本考案は、先行技術の問題点に鑑みて、絶縁性能に優れ、安全性が高く、均一な照度分布と、広い照明範囲と、構成の簡素化と、製造およびメンテナンスの容易化とを可能にするチューブインチューブＬＥＤライト管を提供することを目的とする。
【課題を解決するための手段】
【０００６】
本考案によるチューブインチューブＬＥＤライト管は、
プラスチック管状カバーと、
前記プラスチック管状カバーの両端部にそれぞれに設けられ、電源に接続されるライト管ソケットと、
前記プラスチック管状カバー内に取り付けられるＬＥＤ基板と、
前記プラスチック管状カバーの外側に設けられるガラス管とを備え、
前記ガラス管の両端部がライト管ソケットに連接されているものである。
【０００７】
上記考案の好ましい一実施形態において、プラスチック管状カバーとガラス管との間に１ｍｍの隙間が設けられている。
【０００８】
上記考案の好ましい一実施形態において、ガラス管の外径が２６ｍｍであり、厚さが１ｍｍである。
【０００９】
上記考案の好ましい一実施形態において、プラスチック管状カバーの外径が２２ｍｍであり、厚さが１ｍｍである。
【００１０】
上記考案の好ましい一実施形態において、ＬＥＤ基板の幅が１１ｍｍであり、厚さが１.２ｍｍである。
【００１１】
上記考案の好ましい一実施形態において、ＬＥＤ基板に間隔をあけて配置された複数のＬＥＤビーズを有する。
【考案の効果】
【００１２】
先行技術において使用されるＬＥＤライト管とは対照的に、本考案において、ガラス管がプラスチック管状カバーの外側に設けられて、ＬＥＤ基板がプラスチック管状カバー内に設置されている。ガラス管が破裂したときにも、プラスチック管状カバーによりＬＥＤ基板を保護できる。よって、本考案は、安全性が高い。なお、本考案の別の特徴は、絶縁性能に優れ、安全性が高く、均一な照度分布と、広い照明範囲と、構成の簡素化と、製造およびメンテナンスの容易化である。本考案の一実施形態において、ＬＥＤ基板が直接的にプラスチック管状カバーのスロットに嵌め入れて、組み立てが容易であり、材料を省くことが可能である。
【考案を実施するための形態】
【００１３】
以下、添付図面を参照して、本考案をさらに説明する。
【００１４】
第１実施形態
図１と、図２とに示すように、本考案の第１実施形態に係るチューブインチューブＬＥＤライト管は、プラスチック管状カバー１を備えている。プラスチック管状カバー１の両端部に、ライト管ソケット２がそれぞれに設けられている。ライト管ソケット２は電源に接続されている。プラスチック管状カバー１の外側に、ガラス管３が設けられている。ライト管ソケット２に、ガラス管３の両端部が連接されている。プラスチック管状カバー１は、一体成型の製品である。プラスチック管状カバー１の内周壁に、ふたつのスロット６が長手方向に関して対称的に設けられている。ふたつのスロット６に、ＬＥＤ基板５の両側部がそれぞれ挿設されている。ＬＥＤ基板５の底面と、プラスチック管状カバー１の内周壁との間に隙間４が設けられている。
【００１５】
第２実施形態
図３に示すように、プラスチック管状カバーは、弧形のプラスチック部材１３と、弧形の金属部材１２とを備えて円筒形状で構成されている。プラスチック部材１３と金属部材１２とは係合している。金属部材１２の内周壁に、ふたつのスロットが長手方向に関して対称的に設けられている。ふたつのスロットに、ＬＥＤ基板５の両側部がそれぞれ挿設されている。ＬＥＤ基板５の底面と、金属部材１２の内周壁との間に隙間が設けられている。
【００１６】
本考案のプラスチック管状カバー１とガラス管３との間の隙間は１ｍｍである。プラスチック管状カバー１とガラス管３との間の隙間により、ＬＥＤ基板を保護することが可能である。ガラス管が破裂したときにも、プラスチック管状カバーによりＬＥＤ基板を保護できます。よって、本考案は、安全性が高く。
【００１７】
本考案におけるガラス管３は、好ましくは、外径が２６ｍｍであり、厚さが１ｍｍである。
【００１８】
本考案におけるプラスチック管状カバー１は、外径が２２ｍｍであり、厚さが１ｍｍである。
【００１９】
本考案におけるＬＥＤ基板５は、幅が１１ｍｍであり、厚さが１.２ｍｍである。
【００２０】
本考案におけるＬＥＤ基板５に間隔をあけて配置された複数のＬＥＤビーズ７を有する。ＬＥＤビーズ７を均一に配設することにより、均一な照度分布と、広い照明範囲との効果を得られる。
【００２１】
本考案の属する技術分野の技術者は、本明細書の開示と教示とにより、様々な修正形態及び変更形態が、明らかとなり得る。本考案の構成は、上記各実施形態に示した構成に限定されるものではない。本考案の範囲及び趣旨から逸脱しない様々な修正形態及び変更形態が本考案の範囲に含まれるべきである。なお、以上実施形態に使用された用語は、本考案の理解を容易にするために記載されたものであって、本考案を限定するために記載されたものではない。
【図面の簡単な説明】
【００２２】
【図１】図１は、本考案に係るチューブインチューブＬＥＤライト管の構成を示す正面図である。
【図２】図２は、本考案の第１実施形態に係るチューブインチューブＬＥＤライト管の断面図である。
【図３】図３は、本考案の第２実施形態に係るチューブインチューブＬＥＤライト管の断面図である。
【符号の説明】
【００２３】
１：プラスチック管状カバー
２：ライト管ソケット
３：ガラス管
４：隙間
５：ＬＥＤ基板
６：スロット
１２：弧形の金属部材
１３：弧形のプラスチック部材
【図１】
0003193610.tif 000003
【図２】
0003193610.tif 000004
【図３】
0003193610.tif 000005